(57)【要約】      （修正有）【課題】光沢感や高級感を有しつつ、使用中に毛折れし難いブラシ用毛材と、それを用いたブラシを提供する。【解決手段】素材に珪酸塩鉱物が練り込まれたモノフィラメントのカットブリッスルからなるブラシ用毛材１、及びそれを用いたブラシ３。このブラシ用毛材１は、その表面や表面近傍で、練り込まれている珪酸塩鉱物により光沢感や高級感を発現することが可能になる。【選択図】図１
2017195952.tif 000002
【特許請求の範囲】
【請求項１】
素材に珪酸塩鉱物が練り込まれたモノフィラメントのカットブリッスルからなるブラシ用毛材。
【請求項２】
前記珪酸塩鉱物が、アスペクト比（最大平面長／厚み）が２以上の形状を有する、請求項１に記載のブラシ用毛材。
【請求項３】
前記珪酸塩鉱物が、角形断面形状を有する、請求項１または２に記載のブラシ用毛材。
【請求項４】
素材に前記珪酸塩鉱物に加え、該珪酸塩鉱物とは別の添加物としての顔料が練り込まれている、請求項１〜３のいずれかに記載のブラシ用毛材。
【請求項５】
前記カットブリッスルの長さが３〜１０００ｍｍの範囲にある、請求項１〜４のいずれかに記載のブラシ用毛材。
【請求項６】
素材に前記珪酸塩鉱物が０．５〜２０重量％練り込まれている、請求項１〜５のいずれかに記載のブラシ用毛材。
【請求項７】
素材がポリエステル系樹脂、ポリアミド系樹脂、ポリオレフィン系樹脂のいずれかからなる、請求項１〜６のいずれかに記載のブラシ用毛材。
【請求項８】
請求項１〜７のいずれかに記載のブラシ用毛材を用いたブラシ。
【発明の詳細な説明】
【技術分野】
【０００１】
本発明は、各種ブラシに好適なブラシ用毛材及びそれを用いたブラシに関する。
【背景技術】
【０００２】
繊維材料に光沢性や視認性を付与するために、特定の顔料を含有させる技術が知られている。例えば、特許文献１には、繊維中に特殊決勝構造を有するパール光沢性顔料を含有させたパール様光沢繊維が開示されている。しかし、この特許文献１に記載されている顔料をそのままブラシ用毛材に用いると、使用中に毛が折れる可能性が高い。
【０００３】
また、例えば、特許文献２には、視認性を高めるために、芯部に特定形状の板状無機フィラー顔料が含有されてなる複合モノフィラメントが開示されている。しかし、この特許文献２に記載されている複合モノフィラメントには、複合繊維であるためコストが大幅に高くなるという問題がある。
【０００４】
最近、各種ブラシに用いられるブラシ用毛材として、光沢感や高級感を発現可能な毛材が求められることがあるが、上記特許文献１、２に記載の繊維は、いずれもブラシ用毛材には適していない。
【先行技術文献】
【特許文献】
【０００５】
【特許文献１】特公昭５８−１２３７０号公報
【特許文献２】特開平９−２０９２１４号公報
【発明の概要】
【発明が解決しようとする課題】
【０００６】
そこで本発明の課題は、とくに、光沢感や高級感を有しつつ、使用中に毛折れし難いブラシ用毛材と、それを用いたブラシを提供することにある。
【課題を解決するための手段】
【０００７】
上記課題を解決するために、本発明に係るブラシ用毛材は、素材に珪酸塩鉱物が練り込まれたモノフィラメントのカットブリッスルからなるブラシ用毛材として構成される。ここで、用いられる珪酸塩鉱物としては、雲母、橄欖石（かんらんせき）、輝石、角閃石（かくせんせき）、長石、石英などが挙げられる。このような珪酸塩鉱物は、例えばキラキラした輝きを放つことが可能なもので、光沢感や高級感をかもし出すことが可能なものである。
【０００８】
このような本発明に係るブラシ用毛材においては、ブラシ用毛材を構成する素材に珪酸塩鉱物が練り込まれているので、珪酸塩鉱物は素材中に全体にわたって分布し、たとえ多少毛材の表面が磨耗した状態にあっても、毛材の表面やその近傍には必ず存在することになる。したがって、このような素材で構成されたブラシ用毛材は、その表面や表面近傍で、練り込まれている珪酸塩鉱物により光沢感や高級感を発現することが可能になる。しかも、珪酸塩鉱物が練り込まれたモノフィラメントのカットブリッスルとして形成されるから、特許文献２に記載されている複合モノフィラメントのようにコストが大幅に高くなるおそれもない。
【０００９】
上記本発明に係るブラシ用毛材においては、上記練り込まれる珪酸塩鉱物が、アスペクト比（最大平面長／厚み）が２以上の形状を有することが好ましい。珪酸塩鉱物がこのようなアスペクト比の形状を有することにより、それが練り込まれた素材からなるブラシ用毛材は、使用中にも毛折れし難くなり、問題なく使用できるようになる。さらに、練り込まれる珪酸塩鉱物としては、粒径５〜１００μｍのものが好適である。
【００１０】
また、上記本発明に係るブラシ用毛材においては、上記練り込まれる珪酸塩鉱物が、角形断面形状を有することが好ましい。角形断面形状としては、三角形、四角形、多角形等の断面形状が挙げられる。珪酸塩鉱物が角形断面形状を有することで、とくにその角部の存在により、光沢感や高級感を増すことが可能になり、さらに、角部（エッジ部）での被清掃物の汚れを掻き出す効果の付与も可能になる。
【００１１】
また、上記本発明に係るブラシ用毛材においては、素材に上記珪酸塩鉱物に加え、該珪酸塩鉱物とは別の添加物としての顔料が練り込まれている形態も好ましい。このように顔料を付加することで、より光沢感や高級感を増すことが可能になり、さらに、上記珪酸塩鉱物ではかもし出すことが難しい色調の付加も可能になる。
【００１２】
上記カットブリッスルの長さとしては、とくに限定されず、用途に応じて決めればよいが、好ましくは３〜１０００ｍｍの範囲にある。例えば歯ブラシ用毛材の場合には、５〜５０ｍｍ程度の範囲が好ましい長さとして例示でき、一般的な洗浄用のブラシ用毛材の場合には、より長い長さまでの範囲が好ましい長さとして例示できる。
【００１３】
また、本発明に係るブラシ用毛材において、素材に練り込まれる上記珪酸塩鉱物の含有量としては、０．５〜２０重量％の範囲にあることが好ましく、より好ましくは１〜１０重量％の範囲である。素材中の珪酸塩鉱物の含有量が０．５重量％未満では、十分に高い光沢感や高級感を発現できないおそれがあり、２０重量％を超えると、鉱物含有量が多くなりすぎて、素材自体の特性（柔軟性や強度等）を損なうおそれがある。但し、素材のマスターバッチを作成し、それを希釈してモノフィラメントを形成する場合には、マスターバッチの段階では２０重量％を超える高濃度の含有量とすることも可能である。
【００１４】
また、本発明に係るブラシ用毛材において、素材の種類はとくに限定されず、通常ブラシ用毛材の素材として用いられているあらゆる種類の素材を使用することが可能である。代表的な素材としては、ＰＢＴ（ポリブチレンテレフタレート）を含む各種ポリエステル系樹脂や、各種のポリアミド系樹脂、各種のポリオレフィン系樹脂を挙げることができる。これらの樹脂を素材として用いることにより、素材自体の優れた耐久性が期待できる。また、本発明における素材中への珪酸塩鉱物の練り込みも問題なく行うことが可能である。
【００１５】
さらに、本発明に係るブラシ用毛材においては、後述するように、所定長さの毛材の一端部が毛先として使用される場合と、毛材の両端部が毛先として使用される場合があるが、少なくとも一端部が先細りテーパー形状に形成されていることも好ましい。先細りテーパー形状への加工は、薬剤による溶解によってもよく、機械的研磨によってもよい。いずれの場合にあっても、素材中に珪酸塩鉱物が練り込まれているので、先細りテーパー形状に形成された先端まで問題なく所望の光沢感や高級感が発現される。毛先が先細りテーパー形状に形成されていることにより、毛先が微細部に容易に進入できるため清掃性の向上をはかることができるとともに、毛先の柔軟性を高めて触感等の向上をはかることができる。
【００１６】
本発明は、上記のような本発明に係るブラシ用毛材が少なくとも一部に使用されているブラシについても提供する。とくに、本発明に係るブラシは、上述したように優れた光沢感や高級感を有するブラシ用毛材が使用されるので、特に歯ブラシ、洗顔ブラシ、化粧ブラシ、高級品洗浄用ブラシ等として好適である。
【発明の効果】
【００１７】
このように、本発明によれば、優れた光沢感や高級感を有するブラシ用毛材を提供することができる。
【００１８】
また、本発明によれば、上記のようなブラシ用毛材を少なくとも一部に使用した各種ブラシを提供でき、特に光沢感や高級感を有することが望まれる歯ブラシ、洗顔ブラシ、化粧ブラシ、高級品洗浄用ブラシ等として好適なブラシを提供することができる。
【図面の簡単な説明】
【００１９】
【図１】ブラシ用毛材を歯ブラシに使用する際の植毛方法を示す概略構成図である。
【発明を実施するための形態】
【００２０】
以下に、本発明の実施の形態について説明する。
本発明に係るブラシ用毛材は、素材に珪酸塩鉱物が練り込まれたモノフィラメントのカットブリッスルからなるブラシ用毛材として構成されるものである。このように構成されたブラシ用毛材が、各種ブラシの作製のために少なくとも一部に使用される。一般に、ブラシ用毛材をブラシ構成部材に植毛する際の方法として、代表的に二種の方法が知られているが、これら二種の方法を、歯ブラシへの使用の場合を例にとって、図１を参照しながら説明する。
【００２１】
図１（Ａ）は、ブラシ用毛材１が歯ブラシ構成部材２のヘッド部に植毛された歯ブラシ３を示しており、このブラシ用毛材１の植毛方法として、図１（Ａ）のａ−ａ線に沿う拡大断面図である図１（Ｂ）、（Ｃ）に示すような二種の方法がある。図１（Ｂ）に示す方法では、植毛穴４に二つ折りにしたブラシ用毛材１を差し込み、平線５と称されている固定具でブラシ用毛材１を歯ブラシ構成部材２に固定する。完成された歯ブラシは、通常、平線歯ブラシと呼ばれている。このような平線歯ブラシでは、予め作製されたブラシ用毛材１の両端部がブラシの毛先となる。図１（Ｃ）に示す方法では、歯ブラシ構成部材２のヘッド部表面側部材２ａの貫通穴６にブラシ用毛材１の一端部を挿通させ、挿通されたブラシ用毛材１の端部に加熱装置(図示略)を当てて焼玉７と称されている抜け防止あるいは固定用の塊を形成し、しかる後に、ヘッド部裏面側部材２ｂを接合し焼玉７を隠して歯ブラシ商品を完成させる。完成された歯ブラシは、通常、無平線歯ブラシと呼ばれている。このような無平線歯ブラシでは、予め作製されたブラシ用毛材１の一端部がブラシの毛先となる。したがって、本発明に係るブラシ用毛材１が使用される場合であって端部に先細りテーパー部が形成される場合においては、ブラシ用毛材が平線歯ブラシに使用される場合には、毛材の両端部に先細りテーパー部が形成されることになり、無平線歯ブラシに使用される場合には、毛材の一端部に先細りテーパー部が形成されることになる。
【実施例】
【００２２】
以下に、本発明に係るブラシ用毛材の実施例について説明する。
【００２３】
実施例１
予め乾燥したＰＢＴ（ポリブチレンテレフタレート）樹脂に珪酸塩鉱物として雲母を１重量％混合し、２７０℃の溶融紡糸機内で溶融混練してＰＢＴ中に雲母を練り込んだ後、円形口金から溶融物を押し出した。引き続き、押し出された溶融物を、２０℃の冷却浴中で冷却固化した後、４．５倍に加熱延伸し、熱セットを行って、ＰＢＴモノフィラメント（直径０．１８ｍｍ）を得た。これを長さ３０ｍｍにカットし、ブラシ用毛材として評価したところ、優れた光沢感と高級感を有するブラシ用毛材を作製できたことが確認された。
【００２４】
実施例２
予め乾燥したＰＢＴ樹脂に雲母を１重量％混合し、２７０℃の溶融紡糸機内で溶融混練してＰＢＴ中に雲母を練り込んだ後、四角形口金から溶融物を押し出した。引き続き、押し出された溶融物を、２０℃の冷却浴中で冷却固化した後、４．５倍に加熱延伸し、熱セットを行って、ＰＢＴモノフィラメント（直径０．１８ｍｍ）を得た。これを長さ３０ｍｍにカットし、ブラシ用毛材として評価したところ、優れた光沢感と高級感を有するブラシ用毛材を作製できたことが確認された。実施例１に比べ、モノフィラメントの断面形状を四角形とすることで、光沢感と高級感がより増した。また、前述の如く、エッジ部での汚れ書き出し効果も期待できる。
【００２５】
実施例３
予め乾燥したＰＢＴ樹脂に雲母を５重量％混合し、２７０℃の溶融紡糸機内で溶融混練してＰＢＴ中に雲母を練り込んだ後、円形口金から溶融物を押し出した。引き続き、押し出された溶融物を、２０℃の冷却浴中で冷却固化した後、４．５倍に加熱延伸し、熱セットを行って、ＰＢＴモノフィラメント（直径０．１８ｍｍ）を得た。これを長さ３０ｍｍにカットし、ブラシ用毛材として評価したところ、優れた光沢感と高級感を有するブラシ用毛材を作製できたことが確認された。実施例１に比べ、雲母の含有量が増大した分、光沢感と高級感がより増した。
【産業上の利用可能性】
【００２６】
本発明に係るブラシ用毛材は、あらゆるブラシに適用でき、特に、歯ブラシ、洗顔ブラシ、化粧ブラシ、高級品洗浄用ブラシ等として好適である。
【符号の説明】
【００２７】
１  ブラシ用毛材
２  歯ブラシ構成部材
２ａ  ヘッド部表面側部材
２ｂ  ヘッド部裏面側部材
３  歯ブラシ
４  植毛穴
５  平線
６  貫通穴
７  焼玉
【図１】
2017195952.tif 000003